(57)【特許請求の範囲】
【請求項１】
上面に開口する断熱箱体内に貯蔵室を構成し、この貯蔵室の上面開口を扉にて開閉自在に閉塞すると共に、照明灯を内蔵する照明ケースを前記断熱箱体に取り付け、前記扉の後部上側に位置させて成る低温ショーケースにおいて、
この照明ケースは、左右側壁と、この左右側壁に形成され、前記断熱箱体の開口縁に当接する当接フランジと、前記左右側壁下端に形成され、前記断熱箱体の外側に延在する被覆フランジと、ネジにより前記左右側壁間に渡って取り付けられた補強金具とを備え、前記ネジの締付位置を調整することによって、前記左右側壁の間隔を変更可能とされていることを特徴とする低温ショーケース。
【請求項２】
照明ケースは、照明灯にて暖められた暖気を扉方向に案内するガイド板を備えていることを特徴とする請求項１の低温ショーケース。
【請求項３】
照明ケース内には、扉上側から照明灯を経て前記照明ケースの後方に流れる空気通路が形成されていることを特徴とする請求項１の低温ショーケース。
【請求項４】
照明ケースはヒンジによって断熱箱体の後部に回動自在に枢支されると共に、スイッチを備え、このスイッチは、照明ケースが扉の上側にある状態から上方に回動されて前記断熱箱体に当接すると、照明灯への通電を断つことを特徴とする請求項１、請求項２又は請求項３の低温ショーケース。
【発明の詳細な説明】
【０００１】
【発明の属する技術分野】
本発明は、上面に開口する断熱箱体内に貯蔵室を構成し、この貯蔵室の上面開口を扉にて開閉自在に閉塞すると共に、扉の後部上側には照明ケースを配置して成る低温ショーケースに関するものである。
【０００２】
【従来の技術】
従来よりアイスクリームなどを陳列販売する低温ショーケースは、例えば特公平１−４４９９４号公報に示される如く、上面に開口する断熱箱体内に貯蔵室を構成し、この貯蔵室の上面開口はガラス扉にて開閉自在と成すと共に、扉の後部上側には照明灯（蛍光灯）を内蔵した照明ケース（収納室）を配置し、この照明ケース前面に取り付けたシェードを照らし出して販売効果を向上させていた。
【０００３】
【発明が解決しようとする課題】
この照明ケースは、断熱箱体の左右上面に載置されるかたちで通常取り付けられるが、断熱箱体は断熱材発泡時の圧力によって膨らみ、その幅寸法には多少の変動（拡張）が生じる。そのため、照明ケースと断熱箱体の幅寸法が合わなくなり、組立作業が面倒なものとなる問題があった。
【０００４】
本発明は、係る従来の技術的課題を解決するために成されたものであり、上面に開口する断熱箱体に取り付けられた扉の後部上側に照明ケースを備えた低温ショーケースの組立作業性を改善することを目的とする。
【０００５】
【課題を解決するための手段】
本発明の低温ショーケースは、上面に開口する断熱箱体内に貯蔵室を構成し、この貯蔵室の上面開口を扉にて開閉自在に閉塞すると共に、この扉の後部上側には、照明灯を内蔵する照明ケースを配置し、断熱箱体に取り付けて成るものであって、照明ケースは、左右側壁と、この左右側壁に形成され、断熱箱体の開口縁に当接する当接フランジと、左右側壁下端に形成され、断熱箱体の外側に延在する被覆フランジと、ネジにより左右側壁間に渡って取り付けられた補強金具とを備え、前記ネジの締付位置を調整することによって、左右側壁の間隔を変更可能とされているものである。
【０００６】
本発明によれば、上面に開口する断熱箱体内に貯蔵室を構成し、この貯蔵室の上面開口を扉にて開閉自在に閉塞すると共に、この扉の後部上側には、照明灯を内蔵する照明ケースを配置し、断熱箱体に取り付けて成る低温ショーケースにおいて、この照明ケースは、左右側壁と、この左右側壁に形成され、断熱箱体の開口縁に当接する当接フランジと、左右側壁下端に形成され、断熱箱体の外側に延在する被覆フランジと、ネジにより左右側壁間に渡って取り付けられた補強金具とを備えており、前記ネジの締付位置を調整することによって、左右側壁の間隔を変更可能としたので、断熱箱体の幅寸法に応じて、ネジの締付位置を調節し、照明ケースの左右側壁の間隔を変更することにより、被覆フランジが断熱箱体に当接してしまう不都合を回避することができるようになる。
【０００７】
これにより、断熱箱体の幅寸法のバラツキに対して、極めて容易に照明ケースを対応させることが可能となり、組立作業性の著しい改善を図ることができるようになるものである。
【０００８】
請求項２の発明の低温ショーケースは、上記において照明ケースが、照明灯にて暖められた暖気を扉方向に案内するガイド板を備えているものである。
【０００９】
請求項２の発明によれば、上記に加えて照明ケースには、照明灯にて暖められた暖気を扉方向に案内するガイド板を設けたので、照明灯の発熱にて暖められた暖気を扉上側に案内し、扉上面への結露を解消若しくは抑制することができるようになるものである。
【００１０】
請求項３の発明の低温ショーケースは、請求項１において照明ケース内には、扉上側から照明灯を経て当該照明ケースの後方に流れる空気通路が形成されているものである。
【００１１】
請求項３の発明によれば、請求項１に加えて照明ケース内には、扉上側から照明灯を経て当該照明ケースの後方に流れる空気通路を形成したので、照明灯の発熱にて暖められた暖気の自然対流によって、扉上側から照明灯を経てケース後方に流れる空気流を形成することができるようになる。
【００１２】
これにより、照明灯の過熱を防止して寿命の延長を図ることができるようになると共に、扉上面に沿った気流を形成することにより、扉上面への結露も解消若しくは抑制することができるようになるものである。
【００１３】
請求項４の発明の低温ショーケースは、上記各発明において照明ケースはヒンジによって断熱箱体の後部に回動自在に枢支されると共に、スイッチを備え、このスイッチは、照明ケースが扉の上側にある状態から上方に回動されて断熱箱体に当接すると、照明灯への通電を断つものである。
【００１４】
請求項４の発明によれば、上記各発明に加えて照明ケースをヒンジによって断熱箱体の後部に回動自在に枢支したので、照明ケースを扉の上側から上方に回動させ、待避させることにより、極めて容易に扉の交換や物品の補充などを行うことができるようになる。特に、照明ケースにはスイッチを設け、このスイッチは、照明ケースが扉の上側にある状態から上方に回動されたときに断熱箱体に当接すると照明灯への通電を断つように構成したので、照明灯の交換が必要な場合などには照明ケースを回動させるだけでその通電が断たれ、その状態で円滑に照明灯の交換を行うことができるようになり、メンテナンス作業性が改善されるものである。
【００１５】
【発明の実施の形態】
以下、図面に基づき本発明の実施形態を詳述する。図１は本発明の実施例の低温ショーケース１の斜視図、図２は低温ショーケース１の断熱箱体２の一側上部の拡大縦断正面図、図３は低温ショーケース１の照明ケース３の縦断斜視図、図４は低温ショーケース１の照明ケース３部分の拡大縦断側面図をそれぞれ示している。
【００１６】
実施例の低温ショーケース１は、店頭においてアイスクリームなどを販売する冷凍ショーケースであり、上面に開口する断熱箱体２により本体を構成され、この断熱箱体２は何れも上面に開口する鋼板製の外箱４と内箱６を樹脂製のブレーカ７にて接続し、これらの間に発泡ポリウレタン断熱材８を発泡充填して形成されている（図２）。そして、この内箱６内に上面に開口９を有する貯蔵室１１が構成されている。
【００１７】
断熱箱体２の上面開口、即ち、貯蔵室１１の開口９は図１、図４に示す如く後側が高く前側が低くなるように傾斜しており、係る傾斜した貯蔵室１１の開口９には引き戸式の２枚のガラス扉１２、１３が載置され、開閉自在に閉塞される。この場合、ブレーカ７の少なくとも左右両側辺の上面７Ａは、図２に示される如く外側から内側に向かって所定の曲率で湾曲しながら低くなる形状を呈しており、ガラス扉１２、１３を構成するサッシュ１４、１５の外側の縦辺下面もこの上面７Ａの湾曲形状に密着するよう、それに沿った湾曲形状を呈している（図２）。
【００１８】
これによって、ガラス扉１２、１３の密閉性を高めている。また、このように透明なガラス扉１２、１３にて開閉される貯蔵室１１内は図示しない冷却装置の冷却器によって冷凍温度に冷却するものである。
【００１９】
そして、係る断熱箱体２の後上部に照明ケース３が取り付けられ、ガラス扉１２、１３の後部上側に所定の間隔を存して配置されている。この照明ケース３は、上壁２１、後壁２２及び左右側壁２３、２３を備えたケース本体２６から構成されており、このケース本体２６はその上壁２１及び左右側壁２３、２３の前縁を内側に直角に折曲して構成された前フランジ２１Ａ、２３Ａと、左右側壁２３、２３の下縁を上方に密着曲げにて折り返した後、更に内方に直角に折曲することにより構成された垂直な被覆フランジ２７と水平な当接フランジ２８とを備えている。
【００２０】
この当接フランジ２８は断熱箱体２の開口縁のブレーカ７上面外端に図２の如く当接すると共に、その状態で被覆フランジ２７は図２の如く断熱箱体２の外側に延在するよう構成されている。
【００２１】
上壁２１下面には前及び下方に開放した反射板２９が取り付けられており、この反射板２９の内側には図示しないソケットによって照明灯としての蛍光灯３１が取り付けられ、反射板２９の後面には蛍光灯３１を点灯させるための安定器３２が取り付けられている。
【００２２】
更に、左右側壁２３、２３の内面には略Ｌ字状に折曲された取付板３３が固定されており、この取付板３３の水平取付面３３Ａには図示しないネジ孔が穿設されている。そして、左右側壁２３、２３の各取付板３３、３３の水平取付面３３Ａ、３３Ａ間に渡って断面Ｌ字状の補強金具３７が取り付けられると共に、この補強金具３７と各前フランジ２１Ａ、２３Ａの内側に沿って透光性のシェード３８が配設される。
【００２３】
この状態でシェード３８は蛍光灯３１の前側に位置すると共に、補強金具３７にはこれも断面Ｌ字状の押さえ具３９が取り付けられ、シェード３８はこの押さえ具３９と補強金具３７間に挟持されるかたちで保持されている。
【００２４】
また、補強金具３７にはクランク状のガイド板４１が取り付けられ、補強金具３７から前下方に延在している。このガイド板４１はガラス扉１２、１３の上面と所定の間隔を存して補強金具３７より前方に延在している。
【００２５】
更に、補強金具３７の両側部には図示しない横長の透孔が形成されており、この透孔にネジ４２を挿通し、前記取付板３３、３３のネジ孔に螺合させることによって、補強金具３７は取り付けられている。従って、このネジ４２を緩めれば補強金具３７の透孔内をネジ４２が移動できるので、このネジ４２の締め付け位置を調整することにより、照明ケース３の左右側壁２３、２３の間隔は変更することができる。
【００２６】
ここで、断熱箱体２の外形寸法は断熱材８の発泡時の圧力によって膨らむ方向に変動する。そのため、発泡終了後の断熱箱体２の幅寸法は製品によって若干異なる。このとき、照明ケース３の左右側壁２３、２３間の間隔よりも断熱箱体２の幅寸法が大きくなると、図２において被覆フランジ２７が断熱箱体２の外側にならずにその下端がブレーカ７に当接してしまい、照明ケース３を所定の位置に配置できなくなる。
【００２７】
係る場合には、ネジ４２を緩めて補強金具３７の前記透孔内で当該ネジ４２を外側に移動させれば、照明ケース３の左右側壁２３、２３はその弾性で外側に広がり、左右側壁２３、２３の間隔は拡張されるので、被覆フランジ２７は断熱箱体２の外側において下方に延在し、当接フランジ２８がブレーカ７に当接されるようになる。
【００２８】
一方、後壁２２の下部にはヒンジ３４の一端が取り付けられ、このヒンジ３４の他端が断熱箱体２の後面に取り付けられた背板３６（断熱箱体２の一部を構成する）上部に固定されることにより、照明ケース３は断熱箱体２に対して回動自在に枢支される。
【００２９】
また、後壁２２の上部には通気口４３が穿設されると共に、後壁２２の下部にはスイッチ４４が後方に突出して取り付けられている。このスイッチ４４の接点は前記蛍光灯３１の電気回路に直列に介設されており、常にはそのアクチュエータ４４Ａを突出させ、その突出した状態では接点は閉じており、押し込まれると接点を開く動作を行うものである。
【００３０】
以上の構成で、蛍光灯３１が点灯するとシェード３８を後方から照らし出してそこに印刷された広告文字や図形などを浮き出させる。また、蛍光灯３１が点灯すると発熱を生じるが、蛍光灯３１にて暖められた空気はガイド板４１に案内されて図４に破線矢印で示す如くガラス扉１２、１３の上面に流出する。これによって、ガラス扉１２、１３上面への結露の発生が防止若しくは抑制される。
【００３１】
また、蛍光灯３１はこの暖気の流出によって冷却されるので、寿命が延長される。更に、安定器３２も発熱するが、これによって暖められた暖気は後壁２２の通気口４３から外部に排出されるので、安定器３２の過熱も防止される。
【００３２】
ここで、蛍光灯３１を交換する際には図５に示す如くヒンジ３４を中心として照明ケース３を上方に回動させる。これによって、照明ケース３の下面が前方に開放されるかたちとなるので、蛍光灯３１は容易に交換できる。更に、照明ケース３を上方に回動させると、スイッチ４４のアクチュエータ４４Ａが背板３６の上面に当接し、押し込まれるので、接点が開いて蛍光灯３１の電気回路は切断される。従って、蛍光灯３１の交換に際して別途蛍光灯３１のスイッチを切る手間が省ける。
【００３３】
尚、蛍光灯３１を交換した後は再び照明ケース３を回動させて下ろすものであるが、前述の如く左右側壁２３、２３の間隔は断熱箱体２の幅寸法よりも大きく調整されているので、被覆フランジ２７は支障無く断熱箱体２の外側に位置し、当接フランジ２８がブレーカ７に当接して照明ケース３は所定の位置に配置される。
【００３４】
次ぎに、図６は本発明の他の実施例の低温ショーケース１を示している。この場合、反射板２９には蛍光灯３１の上下に位置して通気口５１、５２が穿設されている。係る構成によれば、蛍光灯３１の発熱で暖められた暖気は通気口５１、５２を通過し、更に安定器５２で暖められた暖気と共に後壁２２の通気口４３から外部に流出するようになる。
【００３５】
係る暖気の自然対流によってガラス扉１２、１３上側から蛍光灯３１、安定器３２を経て照明ケース３後方に流れる空気流が形成されるので、蛍光灯３１と安定器３２の過熱を防止して寿命の延長を図ることができるようになると共に、ガラス扉１２、１３上面に沿った気流を形成することにより、ガラス扉１２、１３上面への結露も解消若しくは抑制することができるようになる。
【００３６】
【発明の効果】
以上詳述した如く本発明によれば、上面に開口する断熱箱体内に貯蔵室を構成し、この貯蔵室の上面開口を扉にて開閉自在に閉塞すると共に、この扉の後部上側には、照明灯を内蔵する照明ケースを配置し、断熱箱体に取り付けて成る低温ショーケースにおいて、この照明ケースは、左右側壁と、この左右側壁に形成され、断熱箱体の開口縁に当接する当接フランジと、左右側壁下端に形成され、断熱箱体の外側に延在する被覆フランジと、ネジにより左右側壁間に渡って取り付けられた補強金具とを備え、前記ネジの締付位置を調整することによって、左右側壁間に渡って取り付けられた補強金具とを備えており、この補強金具の取付状態を調整することによって、左右側壁の間隔を変更可能としたので、断熱箱体の幅寸法に応じて、ネジの締付位置を調節し、照明ケースの左右側壁の間隔を変更することにより、被覆フランジが断熱箱体に当接してしまう不都合を回避することができるようになる。
【００３７】
これにより、断熱箱体の幅寸法のバラツキに対して、極めて容易に照明ケースを対応させることが可能となり、組立作業性の著しい改善を図ることができるようになるものである。
【００３８】
請求項２の発明によれば、上記に加えて照明ケースには、照明灯にて暖められた暖気を扉方向に案内するガイド板を設けたので、照明灯の発熱にて暖められた暖気を扉上側に案内し、扉上面への結露を解消若しくは抑制することができるようになるものである。
【００３９】
請求項３の発明によれば、請求項１に加えて照明ケース内には、扉上側から照明灯を経て当該照明ケースの後方に流れる空気通路を形成したので、照明灯の発熱にて暖められた暖気の自然対流によって、扉上側から照明灯を経て照明ケース後方に流れる空気流を形成することができるようになる。
【００４０】
これにより、照明灯の過熱を防止して寿命の延長を図ることができるようになると共に、扉上面に沿った気流を形成することにより、扉上面への結露も解消若しくは抑制することができるようになるものである。
【００４１】
請求項４の発明によれば、上記各発明に加えて照明ケースをヒンジによって断熱箱体の後部に回動自在に枢支したので、照明ケースを扉の上側から上方に回動させ、待避させることにより、極めて容易に扉の交換や物品の補充などを行うことができるようになる。特に、照明ケースにはスイッチを設け、このスイッチは、照明ケースが扉の上側にある状態から上方に回動されて断熱箱体に当接すると照明灯への通電を断つように構成したので、照明灯の交換が必要な場合などには照明ケースを回動させるだけでその通電が断たれ、その状態で円滑に照明灯の交換を行うことができるようになり、メンテナンス作業性が改善されるものである。
【図面の簡単な説明】
【図１】  本発明の実施例の低温ショーケースの斜視図である。
【図２】  図１の低温ショーケースの断熱箱体の一側上部の拡大縦断正面図である。
【図３】  図１の低温ショーケースの照明ケースの縦断斜視図である。
【図４】  図１の低温ショーケースの照明ケース部分の拡大縦断側面図である。
【図５】  照明ケースを上方に回動させた状態の図１の低温ショーケースの照明ケース部分の拡大縦断側面図である。
【図６】  本発明の他の実施例の低温ショーケースの照明ケース部分の拡大縦断側面図である。
【符号の説明】
１  低温ショーケース
２  断熱箱体
３  照明ケース
７  ブレーカ
１１  貯蔵室
１２、１３  ガラス扉
２３  左右側壁
２７  被覆フランジ
２８  当接フランジ
２９  反射板
３１  蛍光灯
３３  取付板
３６  背板
３７  補強金具
３８  シェード
４１  ガイド板
４２  ネジ
４３、５１、５２  通気口
４４  スイッチ
【図１】
0003869561.tif 000002
【図２】
0003869561.tif 000003
【図３】
0003869561.tif 000004
【図４】
0003869561.tif 000005
【図５】
0003869561.tif 000006
【図６】
0003869561.tif 000007